(57)【要約】【課題】ある画像に他の画像を重ねて表示するインポーズ表示が可能であり、かつ消費電力を低く抑えた表示装置を提供する。【解決方法】複数段のサンプリングパルス、もしくは行選択パルスを出力する走査回路の各段の入力にスイッチを設け、各スイッチは、スタートパルスの入力、前段出力パルスの入力、入力不可のいずれか一を選択することにより、任意の途中段にスタートパルスを入力し、当該段からのサンプリングパルス、もしくは行選択パルスの出力を可能とする。これにより、画面内で映像信号の更新の必要がある領域にのみパルスが出力され、行、列選択が行われ、映像信号の書き込みが行われる。【選択図】  なし【特許請求の範囲】
【請求項１】
ｍ行ｎ列の画素がマトリクス状に配置された画素部と、前記画素部の制御を行うソース信号線駆動回路と、ゲート信号線駆動回路とを有する表示装置であって、
前記ソース信号線駆動回路は、少なくともｎ段のサンプリングパルスを出力する第１の走査回路を有し、
前記第１の走査回路は、１段目から順次、ｎ段目までサンプリングパルスを出力する第１の動作モードと、
ａ段目（ａは自然数、１＜ａ≦ｎ）から順次、ｂ段目（ｂは自然数、ａ≦ｂ≦ｎ）までサンプリングパルスを出力する第２の動作モードを有し、
前記ゲート信号線駆動回路は、少なくともｍ段の行選択パルスを出力する第２の走査回路を有し、
前記第２の走査回路は、１段目から順次、ｍ段目まで行選択パルスを出力する第１の動作モードと、
ｃ段目（ｃは自然数、１＜ｃ≦ｍ）から順次、ｄ段目（ｄは自然数、ｃ≦ｄ≦ｍ）まで行選択パルスを出力する第２の動作モードを有することを特徴とする表示装置。
【請求項２】
請求項１において、
前記第１の走査回路は、１段目入力に第１のスイッチを有し、ｋ段目入力（ｋは自然数、１＜ｋ≦ｎ）に第２のスイッチを有し、
前記第１のスイッチは、スタートパルスの入力の可、不可のいずれか一を選択し、
前記第２のスイッチは、前記スタートパルスの入力、（ｋ−１）段出力パルスの入力、入力不可のいずれか一を選択することを特徴とする表示装置。
【請求項３】
請求項１において、
前記第２の走査回路は、１段目入力に第１のスイッチを有し、ｊ段目入力（ｊは自然数、１＜ｊ≦ｍ）に第２のスイッチを有し、
前記第１のスイッチは、スタートパルスの入力の可、不可のいずれか一を選択し、
前記第２のスイッチは、前記スタートパルスの入力、（ｊ−１）段出力パルスの入力、入力不可のいずれか一を選択することを特徴とする表示装置。
【請求項４】
請求項１乃至請求項３のいずれか一に記載の表示装置を用いることを特徴とする電子機器。
【発明の詳細な説明】
【０００１】
【発明の属する技術分野】
本発明は、表示装置およびその駆動方法に関する。特に、部分表示、スーパーインポーズ機能等の付加価値を有する表示装置およびその駆動方法に関する。
【０００２】
【従来の技術】
近年、フラットパネル型の表示装置として、液晶素子を用いた画素を有する液晶ディスプレイ(ＬＣＤ)に代わり、エレクトロルミネッセンス(ＥＬ)素子等を代表とする自発光素子を用いた表示装置の研究開発が進められている。これら自発光素子を用いた表示装置は、自発光型ゆえの高画質、広視野角、バックライトを必要としないことによる薄型・軽量等のメリットを活かし、携帯電話機の表示画面やディスプレイ装置として、幅広い利用が期待されている。
【０００３】
また、携帯電話機等においては、その使用目的の多角化によって表示装置自体に高付加価値が求められ、最近では、ある画面上の一部分に重ねるようにテキスト・画像等を表示するスーパーインポーズ機能を有するものも少なくない(例えば、特許文献１参照)。スーパーインポーズ機能により、高い表示品質と、十分な情報伝達能力、さらに充実したユーザインターフェイスの提供が可能となっている。
【０００４】
【特許文献１】
特開２００２−３２０４８号公報
【０００５】
【発明が解決しようとする課題】
例えば、ある画面が表示されている領域(ここでは、静止画像とする)の一部に、映像もしくはテキストを表示する場合には、図３(Ａ)(Ｂ)に示すように、ユーザの見た目においては、背景画像３０１上の一部分、すなわちインポーズ画像３０２の領域のみが書き換えられ、元々表示されている領域は、以前の背景画像３０１がそのまま残されているように認識されるが、実際には、更新されていない領域も含めて、画面の更新が行われている。
【０００６】
具体的には、図３(Ａ)に示すように、ｋフレーム目において、ｍ行ｎ列の表示面には何らインポーズが行われていない状態があり、ｋ＋１フレーム目において、ａ列目〜ｂ列目、ｃ行目〜ｄ行目で囲まれた領域にインポーズ画像３０２が加えられた場合、実際には、図３(Ｃ)に示すように、ｋ＋１フレーム目における画面の書き換えの動作は全画面にわたる。つまり、１フレーム期間３１０において、ｍ行分の行選択が行われ、その各々において、ｎドット分のサンプリングが行われる。
【０００７】
これは、従来用いられている、シフトレジスタ等を代表とする走査回路が、図２(Ａ)に示すような構成が一般的であり、スタートパルス(ＳＰ)、クロック信号(ＣＫ・ＣＫｂ)等の制御信号に従い、図２(Ｂ)に示すように、１段目から順次パルスが出力されていくためである。
【０００８】
また、特許文献１のように、通常の画面表示用の駆動回路とは独立して、インポーズ画像用の駆動回路を有する場合もあるが、いずれの場合にも、画面の一部分のみの書き換えを行うために、表示領域全体を走査する必要がある。インポーズされる領域のみの書き換えを行うことが出来れば、駆動回路の動作も短い期間で良く、あるいは動作周波数を低く設定することも可能であるが、実際のところこのような機能を有するものは提供されていない。
【０００９】
本発明は、以上のような課題に鑑みてなされたものであり、駆動回路の実装面積等をさほど大きくすることなく、低消費電力でスーパーインポーズ処理が可能な表示装置の提供を目的とする。
【００１０】
【課題を解決するための手段】
従来の走査回路は、前述のとおり、図２(Ａ)に示すように、一般的には制御信号(ここでは、ＣＫ・ＣＫｂ、ＳＰ)に従って、複数段接続されたＤ−フリップフロップ(ＦＦ)２０１でなる走査回路の一端の側から順次、他端の側まで、図２(Ｂ)に示すようにパルス(ソース信号線駆動回路においてはサンプリングパルス、ゲート信号線駆動回路においては行選択パルスに該当する)が出力されていき、行、列選択が行われている。
【００１１】
本発明においては、前記走査回路におけるパルスの出力が、任意の段から開始され、かつ任意の段で終了し、以降の段の走査は行われないようにした。このようにすることで、画面の一部のみを走査する場合にも、必要な領域のみに限定した走査が可能となり、映像信号の画素への書き込み等を余裕をもって行うことが出来る。つまり、動作周波数を低く抑えることが出来る。
【００１２】
本発明の表示装置は、
ｍ行ｎ列の画素がマトリクス状に配置された画素部と、前記画素部の制御を行うソース信号線駆動回路と、ゲート信号線駆動回路とを有する表示装置であって、
前記ソース信号線駆動回路は、少なくともｎ段のサンプリングパルスを出力する第１の走査回路を有し、
前記第１の走査回路は、１段目から順次、ｎ段目までサンプリングパルスを出力する第１の動作モードと、
ａ段目（ａは自然数、１＜ａ≦ｎ）から順次、ｂ段目（ｂは自然数、ａ≦ｂ≦ｎ）までサンプリングパルスを出力する第２の動作モードを有し、
前記ゲート信号線駆動回路は、少なくともｍ段の行選択パルスを出力する第２の走査回路を有し、
前記第２の走査回路は、１段目から順次、ｍ段目まで行選択パルスを出力する第１の動作モードと、
ｃ段目（ｃは自然数、１＜ｃ≦ｍ）から順次、ｄ段目（ｄは自然数、ｃ≦ｄ≦ｍ）まで行選択パルスを出力する第２の動作モードを有することを特徴とする。
【００１３】
本発明の表示装置において、
前記第１の走査回路は、１段目入力に第１のスイッチを有し、ｋ段目入力（ｋは自然数、１＜ｋ≦ｎ）に第２のスイッチを有し、
前記第１のスイッチは、スタートパルスの入力の可、不可のいずれか一を選択し、
前記第２のスイッチは、前記スタートパルスの入力、（ｋ−１）段出力パルスの入力、入力不可のいずれか一を選択することを特徴とし、
前記第２の走査回路は、１段目入力に第１のスイッチを有し、ｊ段目入力（ｊは自然数、１＜ｊ≦ｍ）に第２のスイッチを有し、
前記第１のスイッチは、スタートパルスの入力の可、不可のいずれか一を選択し、
前記第２のスイッチは、前記スタートパルスの入力、（ｊ−１）段出力パルスの入力、入力不可のいずれか一を選択することを特徴とする。
【００１４】
以上の構成により、ある背景画像の上にインポーズ画像を重ねて表示する場合、信号の更新の必要がない背景画像の領域は走査されることなく、必要な領域のみ、信号の更新を行うことが出来る。
【００１５】
なお、本発明によって、ディスプレイ装置、パーソナルコンピュータ、パーソナルデジタルアシスタント（ＰＤＡ）や携帯電話機等の携帯情報端末、デジタルカメラ等といった電子機器に、高機能な表示装置が提供される。
【００１６】
【発明の実施の形態】
[実施形態１]
図１(Ａ)に、本発明の一実施形態を示す。Ｄ−フリップフロップ１０２を複数段用いてなる点は従来と同様であるが、隣接段の間には、ＳＰ入力／前段入力選択スイッチ１０４(以後、単にスイッチ１０４と表記する)が設けられている。１段目の入力にも、ＳＰ入力選択スイッチ１０３(以後、単にスイッチ１０３と表記する)が設けられている。
【００１７】
１段目のＤ−フリップフロップ入力に設けられたスイッチ１０３は、１段目のＤ−フリップフロップ１０２に、スタートパルス(ＳＰ)の入力をするかどうかの選択を行うものであり、隣接したＤ−フリップフロップの間に設けられたスイッチ１０４は、ある段のＤ−フリップフロップ１０２の入力に、ＳＰと前段のＤ−フリップフロップ１０２の出力のうちいずれか一方の入力、もしくは入力無しの選択を行うものである。
【００１８】
スイッチ１０３およびスイッチ１０４は、アドレスデコーダ１０１によって制御される。
【００１９】
続いて、動作について説明する。図４を参照する。
【００２０】
第１に、通常と同様の動作について、図４(Ａ)を用いて説明する。このとき、スイッチ１０３はＯＮし、１段目のＤ−フリップフロップ１０２にＳＰの入力を許可する。また、２段目以降の入力に設けられたスイッチ１０４は、全て前段の出力を取り込む状態となる。ＳＰが入力される段の選択、およびスイッチ１０３、１０４の制御は、アドレスデコーダ１０１によって行われる。
【００２１】
この状態で、１段目にＳＰが入力され、ＣＫ・ＣＫｂに従い、１段目から順次パルスが出力され、最終段まで続く。図４(Ａ)中、４０１で示される期間が１水平期間に該当する(ゲート信号線駆動回路においては１フレーム期間に該当する)。
【００２２】
続いて、ある領域のみが選択的に走査される場合の動作について、図４(Ｂ)を用いて説明する。ここでは例として、３段目から、ｎ−２段目までの領域が選択的に走査されるものとする。このとき、スイッチ１０３はＯＦＦし、１段目のＤ−フリップフロップ１０２にはＳＰが入力されない状態となる。また、２段目以降においては、走査されない段、この場合具体的には、２段目、ｎ−１段目、ｎ段目のＤ−フリップフロップ１０２の入力に設けられたスイッチ１０４は、前段の出力、ＳＰのいずれも取り込まない状態となる。３段目のＤ−フリップフロップ１０２の入力に設けられたスイッチ１０４は、ＳＰを取り込む状態となり、４段目からｎ−２段目のＤ−フリップフロップ１０２の入力に設けられたスイッチ１０４は、前段の出力を取り込む状態となる。ＳＰが入力される段の選択、およびスイッチ１０３、１０４の制御は、アドレスデコーダ１０１によって行われる。
【００２３】
この状態で、３段目にＳＰが入力され、ＣＫ・ＣＫｂに従い、３段目から順次パルスが出力され、ｎ−２段目まで続く、以降、すなわちｎ−１段目、ｎ段目においては、スイッチ１０４によって、前段入力が許可されていないため、パルスの出力は無い。図４(Ｂ)中、４０１で示される期間が１水平期間に該当する(ゲート信号線駆動回路においては１フレーム期間に該当する)。その中で、４０２で示される期間が、実際にパルスが出力されている期間となる。
【００２４】
このように、信号の書き換えの必要がない領域においては、走査パルスが出力されないため、不用なデータのサンプリングを行う必要がない。つまり、１水平期間(または１フレーム期間)内に、必要な領域を選択しての走査が可能となる。４０２で示される期間に行われる動作は、４０１で示される期間内に完了すれば良いので、動作周波数を低くし、サンプリング期間を長く確保することも出来る。
【００２５】
つまり、図１(Ｂ)に示すように、背景画像１１１上に重ねて、インポーズ画像１１２が表示される場合、具体的には、ｋフレーム目までが背景画像１１１のみの表示であり、ｋ＋１フレーム目においてインポーズ画像１１２が表示される場合、ｋフレーム目からｋ＋１フレーム目において、映像信号の更新が行われる領域は、図１(Ｂ)において、ａ列目〜ｂ列目、ｃ行目〜ｄ行目で囲まれた領域である。よって本発明によると、図１(Ｃ)に示すように、ｋ＋１フレーム目においては、ｃ行目〜ｄ行目のみが走査され、そのそれぞれの期間において、ａ列目〜ｂ列目のみ、映像信号のサンプリングが行われる。
【００２６】
図４(Ｂ)は、ソース側の動作タイミングのみを対象として説明してきたが、ゲート側についても同様の手法により、ｃ行目〜ｄ行目のみを選択的に走査すれば良い。
【００２７】
以上の動作により、余裕をもった回路動作、低消費電力化が実現する。
【００２８】
[実施形態２]
ある背景画像に何らかのインポーズ画像が重ね合わせられる場合、複数の領域にまたがって同時にインポーズ画像が表示される場合も考えられる。本実施形態においては、このような場合の駆動方法の例について説明する。
【００２９】
図６(Ａ)(Ｂ)に示すように、背景画像６０１上に、インポーズ画像６０２、６０３が表示される場合について考える。インポーズ画像６０２は、ａ列目〜ｂ列目、ｃ行目〜ｄ行目で囲まれた領域であり、インポーズ画像６０３は、ｆ列目〜ｇ列目、ｈ行目〜ｉ行目で囲まれた領域である。
【００３０】
ｋフレーム目において、背景画像６０１のみが表示され、ｋ＋１フレーム目において、インポーズ画像６０２、６０３が表示される場合、映像信号の更新が行われる領域は、ａ列目〜ｂ列目、ｃ行目〜ｄ行目で囲まれた領域と、ｆ列目〜ｇ列目、ｈ行目〜ｉ行目で囲まれた領域である。
【００３１】
本発明によると、図６(Ｃ)に示すように、ｋ＋１フレーム目において、まずｃ行目〜ｄ行目のみが走査され、そのそれぞれの期間において、ａ列目〜ｂ列目のみ、映像信号のサンプリングが行われる。続いて、ｈ行目〜ｉ行目が走査され、そのそれぞれの期間において、ｆ列目〜ｇ列目のみ、映像信号のサンプリングが行われる。
【００３２】
具体的な動作について、図７を用いて説明する。
【００３３】
実施形態１で説明したとおり、図７(Ａ)に示すように、Ｄ−フリップフロップ１０２の入力に設けられたスイッチ１０３、１０４によって、ＳＰの入力を制御する。この場合は、まずａ段目のＤ−フリップフロップ１０２の入力に設けられたスイッチ１０４のみがＳＰの入力を許可し、１段目〜ａ−１段目の入力に設けられたスイッチ１０３、１０４は、前段の出力、ＳＰのいずれも取り込まない状態となる。ａ＋１段目〜ｂ段目までの間は、スイッチ１０４は、前段の出力を取り込む状態となる。ｂ＋１段目以降は、スイッチ１０４は、前段の出力、ＳＰのいずれも取り込まない状態となる。
【００３４】
この状態で、ａ段目にＳＰが入力され、ＣＫ、ＣＫｂに従い、ａ段目〜ｂ段目まで、順次サンプリングパルスが出力される。それ以降、つまりｂ＋１段目以降は、スイッチ１０４によって前段入力が許可されていないため、パルスの出力は無い。
【００３５】
ｂ列目のサンプリングパルス出力が終了した後、ただちに次の領域のサンプリングを行う。今度は、ｆ段目のＤ−フリップフロップ１０２の入力に設けられたスイッチ１０４のみがＳＰの入力を許可し、１段目〜ｆ−１段目の入力に設けられたスイッチ１０３、１０４は、前段の出力、ＳＰのいずれも取り込まない状態となる。ｆ＋１〜ｇ段目までの間は、スイッチ１０４は、前段の出力を取り込む状態となる。ｇ＋１段目以降は、前段の出力、ＳＰのいずれも取り込まない状態となる。
【００３６】
この状態で、ｆ段目にＳＰが入力され、ＣＫ、ＣＫｂに従い、ｆ段目〜ｇ段目まで、順次サンプリングパルスが出力される。それ以降、つまりｇ＋１段目以降は、スイッチ１０４によって前段入力が許可されていないため、パルスの出力は無い。
【００３７】
このように、信号の書き換えの必要がない領域においては、走査パルスが出力されないため、不用なデータのサンプリングを行う必要がない。実施形態１と同様に、インポーズ画像の領域が複数にわたる場合にも同様の動作により、必要な領域のみの選択的な走査が可能となる。
【００３８】
図７は、ソース側の動作タイミングのみを対象として説明してきたが、ゲート側についても同様の手法により、ｃ行目〜ｄ行目、ｈ行目〜ｉ行目のみを選択的に走査すれば良い。
【００３９】
[実施形態３]
実施形態１、２とは異なり、インポーズ画像が複雑な形状をしている場合であっても、本発明は容易に応用が可能である。
【００４０】
図１２に、インポーズ画像が複雑な形状をしている場合の例を挙げる。図１２（Ａ）（Ｂ）に示すように、背景画像１２０１上に、インポーズ画像１２０２が表示される。このとき、インポーズ画像１２０２は、ここでは例として、図１２（Ｂ）に示すように（ａ，ｆ）、（ｂ，ｆ）、（ｂ，ｅ）、（ｃ，ｅ）、（ｃ，ｆ）、（ｄ，ｆ）、（ｄ，ｇ）、（ｃ，ｇ）、（ｃ，ｈ）、（ｂ，ｈ）、（ｂ，ｇ）、（ａ，ｇ）を頂点とする領域で囲まれた形状であるとする。
【００４１】
この場合、ｋフレーム目において、背景画像１２０１のみが表示され、ｋ＋１フレーム目において、インポーズ画像１２０２が表示される場合、映像信号の更新が行われる行は、ｅ行目〜ｈ行目に限られる。よって、図１２（Ｃ）に示すように、ｋ＋１フレーム目におけるゲート信号線の走査は、ｅ行目〜ｈ行目のみとなる。
【００４２】
さらに、ｅ行目〜ｆ行目においては、映像信号の更新が行われている列は、ｂ列目〜ｃ列目のみであり、ｆ行目〜ｇ行目においては、映像信号の更新が行われている列は、ａ列目〜ｂ列目のみであり、ｇ行目〜ｈ行目においては、映像信号の更新が行われている列は、ｂ列目〜ｃ列目のみである。
【００４３】
よって、図１２（Ｃ）に示すとおり、ｆ行目〜ｇ行目におけるサンプリング動作は、通常よりも低い動作周波数で行うことが出来る。さらに、ｅ行目〜ｆ行目、ｇ行目〜ｈ行目におけるサンプリング動作は、ｆ行目〜ｇ行目の場合よりもさらに低い動作周波数で行うことが出来る。
【００４４】
つまり、インポーズ画像の形状が複雑な場合であっても、それぞれの行で、適宜サンプリング回数（映像信号が更新されるドット数に等しい）を制御することによって、効率的にインポーズ画像の領域のみの走査が可能となる。
【００４５】
【実施例】
以下に、本発明の実施例について記載する。
【００４６】
[実施例１]
本実施例においては、本発明を用いて構成された表示装置と、表示装置を駆動するための駆動回路の構成について説明する。
【００４７】
図８に、表示装置の構成の概略を示す。基板８００上に、画素部８０１が形成され、画素部８０１の周辺には、ソース信号線駆動回路８０２、ゲート信号線駆動回路８０４が形成されている。各駆動回路への信号入力および電力供給は、フレキシブルプリント基板(ＦＰＣ)８０４を介して外部より行われる。
【００４８】
図９は、主に映像信号として、アナログ形式の映像信号を用いて表示を行うための、ソース信号線駆動回路の構成例を示している。
【００４９】
Ｄ−フリップフロップ１０２を複数段用いてなるシフトレジスタ、ＮＡＮＤ９０１、レベルシフタ９０２、バッファ９０３、サンプリングスイッチ９０４を有している。
【００５０】
動作について説明する。クロック信号(Ｓ−ＣＫ、Ｓ−ＣＫｂ)およびスタートパルス(Ｓ−ＳＰ)にしたがって、シフトレジスタは順次サンプリングパルスを出力する。場合によっては、任意の領域でのみ、順次パルスを出力する。連続した２つのサンプリングパルスは、互いにパルスが重複する期間を有する場合があり、そのような場合には、ＮＡＮＤ９０１によって前後のサンプリングパルスと演算を行っても良い。また、シフトレジスタの構成によっては、ＮＡＮＤ９０１は必要としない場合もある。
【００５１】
ＮＡＮＤ９０１から出力されたサンプリングパルスは、必要とあればレベルシフタ９０２によって振幅変換を受け、バッファ９０３によって増幅され、サンプリングスイッチ９０４へと入力される。サンプリングスイッチ９０４においては、サンプリングパルスの入力されたタイミングにおいて入力されているアナログ映像信号(Ｖｉｄｅｏ)を取り込み、それぞれのソース信号線Ｓ1〜Ｓnに点順次で出力する。
【００５２】
ここで、レベルシフタ９０２、バッファ９０３については、シフトレジスタ、もしくはＮＡＮＤ９０１自体が、大きな負荷を駆動するだけの能力が十分であれば特に必要としない。
【００５３】
図１０は、主に映像信号として、デジタル形式の映像信号を用いて表示を行うための、ソース信号線駆動回路の構成例を示している。
【００５４】
図１０(Ａ)の例では、Ｄ−フリップフロップ１０２を複数段用いてなるシフトレジスタ、ＮＡＮＤ９０１、第１のラッチ回路１００１、第２のラッチ回路１００２、Ｄ／Ａ変換回路１００３を有している。
【００５５】
動作について説明する。ただし、シフトレジスタ〜ＮＡＮＤの動作については、図９に示したものと同様であるから、省略する。
【００５６】
サンプリングパルスが入力されるタイミングにしたがって、第１のラッチ回路１００１において、デジタル映像信号(Ｄａｔａ)の取り込みが行われる。ここでは、並列した３つの第１のラッチ回路１００１によって、３ビット分のデジタル映像信号の取り込みが同時に行われる。取り込まれたデジタル映像信号は、第１のラッチ回路１００１のそれぞれにおいて、保持される。
【００５７】
前述の動作が、１列目から順に行われる。場合によっては、選択された領域でのみ、順に行われる。最終列の第１のラッチ回路１００１におけるデジタル映像信号の取り込みが終了した後、ラッチ信号(ＬＡＴ)が入力されると、第１のラッチ回路１００１において保持されていたデジタル映像信号は、一斉に第２のラッチ回路１００２へと転送される。その後は、１行分のデジタル映像信号は並列に処理される。
【００５８】
第２のラッチ回路５０５に転送されたデジタル映像信号は、続いてＤ／Ａ変換回路５０６に入力され、Ｄ／Ａ変換を受け、アナログの電圧信号へと変換され、ソース信号線Ｓ1〜Ｓnに出力される。このとき、サンプリングパルスが出力されていない段においては、第１のラッチ回路１００１での信号の取り込み動作が行われないので、その段のソース信号線の出力も前回から変化しない。
【００５９】
図１０(Ｂ)の例では、デジタル時間階調方式による表示を行う場合の構成について示している。第１のラッチ回路１００１、第２のラッチ回路１００２は１列あたり１つ配置され、デジタル映像信号(Ｄａｔａ)は、１本の信号線より、直列に入力される。例としては、１列目第１ビットデータ→２列目第１ビットデータ→・・・→最終列第１ビットデータ→１列目第２ビットデータ→２列目第２ビットデータ→・・・→最終列第２ビットデータ→・・・→１列目最下位ビットデータ→２列目最下位ビットデータ→・・・→最終列最下位ビットデータといったように入力されるが、この限りではない。なお、各部の動作については、図１０(Ａ)と同様であるので、ここでは説明を省略する。
【００６０】
図１１は、ゲート信号線駆動回路の構成例を示している。
【００６１】
図１１の例では、ソース信号線駆動回路と同様、Ｄ−フリップフロップ１０２を複数段用いてなるシフトレジスタ、ＮＡＮＤ９０１、レベルシフタ９０２、バッファ９０３を有している。  ここでも、ソース信号線駆動回路の場合と同様、ＮＡＮＤ９０１、レベルシフタ９０２、バッファ９０３については、必要に応じて設ければ良い。
【００６２】
動作もソース信号線駆動回路の項で説明したのと同様、シフトレジスタから順次行選択パルスが出力され、ＮＡＮＤ９０１において隣接パルス間での演算を行い、レベルシフタ９０２において振幅変換を受け、バッファ９０３を介して、ゲート信号線Ｇ1〜Ｇmに出力され、１行目から順に選択される。場合によっては、選択された領域のみ、順次行選択がなされる。ゲート信号線駆動回路は、前述したソース信号線駆動回路のいずれと組み合わせて使用しても良い。
【００６３】
[実施例２]
本発明の半導体装置には様々な用途がある。本実施例では、本発明の適用が可能な電子機器の例について説明する。
【００６４】
このような電子機器には、携帯情報端末（電子手帳、モバイルコンピュータ、携帯電話等）、ビデオカメラ、デジタルカメラ、パーソナルコンピュータ、テレビ等が挙げられる。それらの一例を図１３に示す。
【００６５】
図１３（Ａ）はＥＬディスプレイであり、筐体３３０１、支持台３３０２、表示部３３０３等を含む。本発明の表示装置は表示部３３０３にて用いることが出来る。
【００６６】
図１３（Ｂ）はビデオカメラであり、本体３３１１、表示部３３１２、音声入力部３３１３、操作スイッチ３３１４、バッテリー３３１５、受像部３３１６等を含む。本発明の表示装置は表示部３３１２にて用いることが出来る。
【００６７】
図１３（Ｃ）はパーソナルコンピュータであり、本体３３２１、筐体３３２２、表示部３３２３、キーボード３３２４等を含む。本発明の表示装置は表示部３３２３にて用いることが出来る。
【００６８】
図１３（Ｄ）は携帯情報端末であり、本体３３３１、スタイラス３３３２、表示部３３３３、操作ボタン３３３４、外部インターフェイス３３３５等を含む。本発明の表示装置は表示部３３３３にて用いることが出来る。
【００６９】
図１３（Ｅ）は携帯電話であり、本体３４０１、音声出力部３４０２、音声入力部３４０３、表示部３４０４、操作スイッチ３４０５、アンテナ３４０６を含む。本発明の表示装置は表示部３４０４にて用いることが出来る。
【００７０】
図１３（Ｆ）はデジタルカメラであり、本体３５０１、表示部（Ａ）３５０２、接眼部３５０３、操作スイッチ３５０４、表示部（Ｂ）３５０５、バッテリー３５０６を含む。本発明の表示装置は、表示部（Ａ）３５０２、表示部（Ｂ）３５０５にて用いることが出来る。
【００７１】
以上の様に、本発明の適用範囲は極めて広く、あらゆる分野の電子機器に用いることが可能である。また、本実施例の電子機器は、実施形態、および他の実施例に示したいずれの構成を適用しても良い。
【発明の効果】
本発明により、効率的に画面の更新を行うことによって、インポーズ機能の付加による表示装置の高付加価値化と低消費電力化を実現することが出来る。特に、静止画を扱うことの多い携帯情報端末等において本発明を適用した場合、その低消費電力化によって、携帯時の起動時間を犠牲にすることなく、高機能が提供される。
【図面の簡単な説明】
【図１】本発明の一実施形態を示す図。
【図２】従来のシフトレジスタ構成と動作タイミングを示す図。
【図３】背景画像にインポーズ画像が加えられた場合の、従来のサンプリング動作を説明する図。
【図４】本発明の一実施形態における動作タイミングを示す図。
【図５】背景画像にインポーズ画像が加えられた場合の、本発明のサンプリング動作を説明する図。
【図６】背景画像にインポーズ画像が加えられた場合の、本発明のサンプリング動作を説明する図。
【図７】本発明の一実施形態における動作タイミングを示す図。
【図８】表示装置の構成の概略図。
【図９】ソース信号線駆動回路の構成の概略図。
【図１０】ソース信号線駆動回路の構成の概略図。
【図１１】ゲート信号線駆動回路の構成の概略図。
【図１２】背景画像にインポーズ画像が加えられた場合の、本発明のサンプリング動作を説明する図。
【図１３】本発明が適用可能な電子機器の例を示す図。
【図１】
2004205725.tif 000002
【図２】
2004205725.tif 000003
【図３】
2004205725.tif 000004
【図４】
2004205725.tif 000005
【図５】
2004205725.tif 000006
【図６】
2004205725.tif 000007
【図７】
2004205725.tif 000008
【図８】
2004205725.tif 000009
【図９】
2004205725.tif 000010
【図１０】
2004205725.tif 000011
【図１１】
2004205725.tif 000012
【図１２】
2004205725.tif 000013
【図１３】
2004205725.tif 000014